(57)【特許請求の範囲】
【請求項１】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記シリアルデータを入力し予め設定されたインタフェース条件の入出力回路を介して制御信号を出力する信号入出力部と、
該信号入出力部と該電気機器とを接続する外部機器接続端子部と
を具備し、
前記信号入出力部は、
前記設定されたインタフェース条件の入出力回路と、
該入出力回路をオン／オフする第１のスイッチと、
外部からの光データを電気的シリアルデータに変換する光素子回路と、
該光素子回路をオン／オフする第２のスイッチと
を備え、
前記データ処理／制御部は、
電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの記憶内容の読み出し書き込みを行って通常動作のための初期設定を行い、前記所定の時間内に前記光入力装置の接続を示す応答がないときは該光素子回路の動作を停止させ、前記ＩＤ−ＲＯＭから前記設定された記憶内容を読み出し該記憶内容に対応する前記第１のスイッチをオンにして前記入出力回路を動作状態に設定し、前記受信したデータに対応する制御信号を前記電気機器に与えるように構成されたことを特徴とする無線呼出受信機ユニット。
【請求項２】
前記信号入出力部の入出力回路は、シリアルデータオープンコレクタ入出力回路、シリアルデータＲＳ２３２Ｃ入出力回路、フォトカプラを介したシリアルデータ入出力回路およびシリアルデータをパラレルデータに変換するシリアル／パラレル変換入出力回路のいずれかであることを特徴とする請求項１記載の無線呼出受信機ユニット。
【請求項３】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記シリアルデータを入力し予め選択し設定されたインタフェース条件の入出力回路を介して制御信号を出力する信号入出力部と、
該信号入出力部と該電気機器とを接続する外部機器接続端子部と
を具備し、
前記信号入出力部は、
互いにインタフェース条件の相異なる複数の入出力回路と、
該複数の入出力回路のそれぞれをオン／オフする複数の第１のスイッチと、
外部からの光データを電気的シリアルデータに変換する光素子回路と、
該光素子回路をオン／オフする第２のスイッチと
を備え、
前記データ処理／制御部は、
電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記信号入出力部の複数の入出力回路のうちの１つを選択して通常動作のための初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し該記憶内容に対応する前記複数の第１のスイッチの１つをオンにして対応する入出力回路を動作状態に設定し、前記受信したデータに対応する制御信号を前記電気機器に与えるように構成されたことを特徴とする無線呼出受信機ユニット。
【請求項４】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記データ処理／制御部の出力を入力とし予め選択し設定されたインタフェース条件の入出力回路を介して第１の制御信号を出力する信号入出力部と、
前記データ処理／制御部の出力を入力とし予め選択し設定されたＨＡ端子用インタフェースユニットまたは８ＣＨオープンコレクタ出力回路のいずれかから第２の制御信号を出力する外部制御部と、
前記信号入出力部および前記外部制御部と前記電気機器とを接続する外部機器接続端子部と
を具備し、
前記信号入出力部は、
互いにインタフェース条件の相異なる複数の入出力回路と、
該複数の入出力回路のそれぞれをオン／オフする複数の第１のスイッチと、
外部からの光データを電気的シリアルデータに変換する光素子回路と、
該光素子回路をオン／オフする第２のスイッチと
を備え、
前記データ処理／制御部は、
電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記信号入出力部の複数の入出力回路のうちの１つを選択するとともに外部制御部の前記選択を行って通常動作のための初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し該記憶内容に対応する前記設定された入出力回路の第１のスイッチをオンにして対応する入出力回路を動作状態に設定するとともに前記外部制御部のＨＡ端子用インタフェースユニットまたは８ＣＨオープンコレクタ出力回路のいずれか設定された方を動作状態に設定して、前記受信したデータによる制御信号を前記電気機器に与えるように構成されたことを特徴とする無線呼出受信機ユニット。
【請求項５】
前記信号入出力部の互いにインタフェース条件の相異なる複数の入出力回路は、シリアルデータオープンコレクタ入出力回路、シリアルデータＲＳ２３２Ｃ入出力回路、フォトカプラを介したシリアルデータ入出力回路およびシリアルデータをパラレルデータに変換するシリアル／パラレル変換入出力回路のうち任意の２つ以上を備えていることを特徴とする請求項３または４に記載の無線呼出受信機ユニット。
【請求項６】
前記データ処理／制御部は、前記信号入出力部から出力させる制御信号のデータ論理を、正論理または負論理で出力させるようにしたことを特徴とする請求項１、２、３または４に記載の無線呼出受信機ユニット。
【請求項７】
前記信号入出力部は、前記外部機器接続端子部に接続されたパソコンまたは電気機器のマイコンから予め当該受信機用に定義されたコマンドが入力されたとき前記データ処理／制御部に該コマンドを入力して当該受信機の動作条件を変更するように構成されたことを特徴とする請求項１、２、３または４に記載の無線呼出受信機ユニット。
【請求項８】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
外部からの光データを電気的シリアルデータに変換して前記データ処理／制御部に入力する光素子回路と該光素子回路をオン／オフするスイッチとが設けられた信号入出力部と、
前記データ処理／制御部からの出力が入力されＨＡ端子用インタフェースユニットと８ＣＨオープンコレクタ出力回路のいずれかから制御信号を出力する外部制御部と、
前記外部制御部と前記電気機器とを接続する外部機器接続端子部と
を具備し、
前記データ処理／制御部は、
電源が投入されると前記信号入出力部のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記外部制御部のＨＡ端子用インタフェースユニットまたは８ＣＨオープンコレクタ出力回路のいずれかを選択する初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し前記外部制御部のＨＡ端子用インタフェースユニットまたは８ＣＨオープンコレクタ出力回路のいずれか設定された方を動作状態に設定して前記受信データによる制御信号を前記電気機器に与えるように構成されたことを特徴とする無線呼出受信機ユニット。
【発明の詳細な説明】
【０００１】
【発明の属する技術分野】
本発明は、無線呼出システムにおける無線呼出受信機に関し、特に、屋内，屋外に設備される電子機器の遠隔制御やパソコンへのデータ送信などの受信端末として利用する無線呼出受信機ユニットに関するものである。例えば、屋外の電光表示ボードに実装して受信メッセージを表示させたり、屋内のルームエアコン，給湯器，ＦＦ暖房器，照明器などＨＡ（ホームオートメーション）端子が設けられた家庭用電気機器，設備に実装して外出先から機器のオン／オフ制御をしたり、パソコンに受信メッセージを入力するなど、そのための外部機器接続端子が設けられた無線呼出受信機ユニットに関するものである。
【０００２】
【従来の技術】
従来、例えば、マイコンを用いた家庭内機器を外部から一般電話機によってオン／オフするＨＡシステムがあり、ＨＡシステムに用いられるルームエアコン，給湯器などには、最も基本的な機能である“運転／停止”，“開／閉”などの２つの動作状態を、パルス信号によって遠隔制御が可能な端末機器を対象としてＨＡ端子が設けられている（日本電機工業会規格、ＪＥＭ１４２７参照）。
【０００３】
一方、公衆通信網の無線呼出システムまたは構内ページングなどの無線呼出受信機は、実用化された当初は、呼出音を鳴動させＬＥＤを点灯，点滅させるトーンオンリ式であったが、その後、ＬＣＤ（表示器）に数字文字記号などのメッセージを表示させる機能が加えられ、多くの情報を送ることができるようになっている。さらに、バイブレータで呼出しを知らせるもの、メロディが出るものなど多彩になってきている。
【０００４】
このように、無線呼び出しシステムにおいては、データ伝送機能が向上してきたので、加入者（携帯者）を呼び出して情報を伝える代わりに、無線呼出受信機の個別選択呼出番号（ＩＤ番号）に続くメッセージ情報を制御データとし、遠隔制御のデータ受信端末として利用する試みがなされている。即ち、受信デコーダ出力を外部へ取り出すための外部機器接続端子（コネクタ）が設けられた無線呼出受信機を制御対象機器に実装し、その制御対象機器を呼出して所望の制御を行う試みがなされている。
【０００５】
【発明が解決しようとする課題】
しかし、制御対象機器の信号受信端末として使用する場合に、ＬＣＤ表示器，サウンダ，バイブレータ，スイッチなどの部品は不必要となるにもかかわらず装備しているために、コスト的に高価であるという第１の問題点と、従来の信号出力方法は、受信メッセージをシリアルデータとして１つのポートからオープンコレクタ出力するのみであり、外部機器とのインタフェース条件がその１つに限定されているという第２の問題点があり、さらに、外部から無線呼出受信機に対する動作モード変更などの制御ができないとういう第３の問題点などがある。
【０００６】
本発明の目的は、上記従来の無線呼出受信機を制御信号出力端末として使用した場合に、コスト高であるという第１の問題点と、信号出力方式がシリアルデータのオープンコレクタの１出力のみで制御対象機器とのインタフェース条件が１つに限定されるという第２の問題点と、外部から無線呼出受信機のチャネル変更などの制御が不可能という第３の問題点とをすべて解決することのできる無線呼出受信機ユニットを提供することにある。
【０００７】
【課題を解決するための手段】
この発明の無線呼出受信機ユニットは、無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、前記受信復調復号手段により得られた個別選択呼出番号が予め記憶された自己の番号と一致した場合に、前記個別選択呼出番号に続くデータを処理してシリアルデータを出力するデータ処理／制御部と、ＩＤ−ＲＯＭと、前記シリアルデータを入力し予め設定されたインタフェース条件の入出力回路を介して制御信号を出力する信号入出力部と、該信号入出力部と該電気機器とを接続する外部機器接続端子部とを具備している。
前記信号入出力部は、前記設定されたインタフェース条件の入出力回路と、該入出力回路をオン／オフする第１のスイッチと、外部からの光データを電気的シリアルデータに変換する光素子回路と、該光素子回路をオン／オフする第２のスイッチとを備える。そして、前記データ処理／制御部は、電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの記憶内容の読み出し書き込みを行って通常動作のための初期設定を行い、前記所定の時間内に前記光入力装置の接続を示す応答がないときは該光素子回路の動作を停止させ、前記ＩＤ−ＲＯＭから前記設定された記憶内容を読み出し該記憶内容に対応する前記第１のスイッチをオンにして前記入出力回路を動作状態に設定し、前記受信したデータに対応する制御信号を前記電気機器に与えるように構成されたことを特徴とするものである。
前記信号入出力部の入出力回路は、シリアルデータオープンコレクタ入出力回路、シリアルデータＲＳ２３２Ｃ入出力回路、フォトカプラを介したシリアルデータ入出力回路およびシリアルデータをパラレルデータに変換するシリアル／パラレル変換入出力回路のいずれかであることを特徴とする。
【０００８】
また、この発明の無線呼出受信機ユニットは、無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、前記受信復調復号手段により得られた個別選択呼出番号が予め記憶された自己の番号と一致した場合に、前記個別選択呼出番号に続くデータを処理してシリアルデータを出力するデータ処理／制御部と、ＩＤ−ＲＯＭと、前記データ処理／制御部の出力を入力とし予め選択し設定されたインタフェース条件の入出力回路を介して第１の制御信号を出力する信号入出力部と、前記データ処理／制御部の出力を入力とし予め選択し設定されたＨＡ端子用インタフェースユニットまたは８ＣＨオープンコレクタ出力回路のいずれかから第２の制御信号を出力する外部制御部と、前記信号入出力部および前記外部制御部と前記電気機器とを接続する外部機器接続端子部とを具備する。
前記信号入出力部は、互いにインタフェース条件の相異なる複数の入出力回路と、該複数の入出力回路のそれぞれをオン／オフする複数の第１のスイッチと、外部からの光データを電気的シリアルデータに変換する光素子回路と、該光素子回路をオン／オフする第２のスイッチとを備える。そして、前記データ処理／制御部は、電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記信号入出力部の複数の入出力回路のうちの１つを選択するとともに外部制御部の前記選択を行って通常動作のための初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し該記憶内容に対応する前記設定された入出力回路の第１のスイッチをオンにして対応する入出力回路を動作状態に設定するとともに前記外部制御部のＨＡ端子用インタフェースユニットまたは８ＣＨオープンコレクタ出力回路のいずれか設定された方を動作状態に設定して、前記受信したデータによる制御信号を前記電気機器に与えるように構成されたことを特徴とするものである。
【０００９】
【発明の実施の形態】
図１は本発明の実施例を示すブロック図である。図において、１はアンテナ、２は高周波受信部、３は局部発振部、４は復調部、５はデコード部、６はデータ処理／制御部、７は信号入出力部、８は外部制御部、９はメモリ、１０はＩＤ−ＲＯＭ、１１はＬＥＤ部、１２は外部（機器）接続端子部、１３は電源部である。アンテナ１からデコード部５までを受信復調復号手段とする。
無線基地局から送られてきた電波をアンテナ１と高周波受信部２で受信し、復調部４で復調し、デコード部５で復号し、データ処理／制御部６でデータ処理後、ＩＤ−ＲＯＭ１０内のフレーム番号が一致すれば、ＬＥＤ部１１の圏内表示用ＬＥＤ（１）を点灯させ、その後アドレス照合を行い、ＩＤ−ＲＯＭ１０内のアドレス（個別選択呼出番号）と一致すれば、着信用ＬＥＤ（２）を点滅させる。従来のメッセージ表示型無線呼出受信機であれば、呼出番号に続くデータを復号してＬＣＤ表示器にメッセージが表示されるが、本発明では、ＬＣＤ表示器は無く、そのメッセージデータを処理したシリアルデータまたはオン／オフデータを信号入出力部７に入力し、予め、設定され、ＩＤ−ＲＯＭ１０から読み出したインタフェース切替えフラグに従った入出力回路または外部制御部８を介して外部接続端子部１２に出力され、外部制御機器に送られる。
【００１０】
信号入出力部７は、ＩＤ−ＲＯＭ１０への書込みデータ入力機能とインタフェース（入出力回路）切替え機能を有し、互いにインタフェース条件の異なる複数（ｎ）個の入出力回路（１）〜（ｎ）（７１〜７ｎ）と、入出力回路のそれぞれをオン／オフするｎ個のアナログスイッチＳＷ（１）〜ＳＷ（ｎ）、及び光素子回路７０とその回路をオン／オフするスイッチＳＷ（０）とを備え、光素子回路７０に外部から入力する光信号データによって複数の入出力回路の中から選定した入出力回路のＳＷをオンにするためのフラグを設定する。この光素子回路７０はＩＤ−ＲＯＭ１０のＩＤ番号その他の記憶内容の書込み，書き替えにも用いられる。書込みエリアはそれぞれ特定のエリアが指定されており、例えば、受信機ユニットの製造者は最終ユーザの指定によりフラグを設定し、無線呼出しシステムの運用者はＩＤ番号の書き込みを行う。
【００１１】
ｎ個の入出力回路７１〜７ｎは、例えば、オープンコレクタ入出力回路７１，ＲＳ２３２Ｃ入出力回路７２，フォトカプラ入出力回路７３，シリアル／パラレル変換（Ｓ／Ｐ変換）入出力回路７４などがある。これらをそれぞれ異なるフラグに対応させ、予めＩＤ−ＲＯＭ１０に記憶されたフラグ（１）〜（ｎ）のうち選択されたフラグによって対応する入出力回路がオンになり、受信メッセージに対応する制御信号が外部接続端子部１２へ導かれる。
【００１２】
前記の各種の入出力回路７１〜７ｎは次の特徴を有している。
オープンコレクタ入出力回路７１は、制御対象とする外部機器の電源電圧がこの受信機ユニットと異なる場合に使用する。例えば、電光表示ボードに本受信機ユニットを搭載して受信メッセージを表示させるとき、この入出力回路７１を使用する。
【００１３】
ＲＳ２３２Ｃ入出力回路７２は、モデムとデータ端末の間のインタフェースを定めているＣＣＩＴＴ勧告Ｖ．２４規格によるインタフェースであり、例えば、外部機器としてパソコンのＲＳ２３２Ｃ端子に本受信機ユニットを接続し、受信メッセージをパソコンに取り込んでデータ処理を行う場合に使用する。
【００１４】
次に、フォトカプラ入出力回路７３は、光を出力する発光ダイオードと光を受けるホトダイオード又はホトトランジスタが設けられており、ノイズを多く発生する機器を制御する場合に使用され、電気的に絶縁してデータラインにノイズが入り込まないようにすることができる。
【００１５】
次に、Ｓ／Ｐ変換入出力回路７４は、制御対象機器のインタフェースがパラレルデータインタフェースの場合に用いられる。
この他、必要に応じて制御対象機器のインタフェースに応じた入出力回路７ｎを設けることができる。
【００１６】
図２はフラグの設定及び通常動作のフローチャートであり、各種のインタフェース条件の入出力回路が実装されている場合を示す。図において、▲１▼〜▲８▼はステップ番号である。
先ず、ＩＤ−ＲＯＭ１０の書き込み、及びフラグの初期設定動作について説明する。この場合、電源投入前に、例えば、光ロムライタなどの光入力装置を光素子回路７０に接続する。
【００１７】
電源投入と同時に、光素子入出力コントロールポート（０）がオンになり（このとき他のコントロールポートはすべてオフ）ＳＷ（０）がオンになって光素子回路７０が動作状態となる（ステップ▲１▼）。
動作開始後、短時間、例えば、６秒間の間に光素子回路７０からの光出力に対して光ロムライタなどの光入力装置からの応答（受光）があったとき（ステップ▲２▼）、光ロムライタとの接続動作とその状態が維持される（ステップ▲３▼）。そこでＩＤ−ＲＯＭ１０の内容の読出し、書込み、又はフラグの設定を行う。
【００１８】
ＩＤ−ＲＯＭ１０には、ＩＤ番号など通信システム運用者が使用するエリアと、受信機ユニットの製造業者が使用するエリアとが独立して設けられており、これらのエリアには最終ユーザはアクセス出来ないようになっている。
【００１９】
次に、通常動作について説明する。次の表１はフラグに対応する入出力コントロールポート（ＳＷ）と入出力回路の一例を示す。例えば、フラグ“１”〜“５”は信号入出力部７の選定に用いられ、フラグ“６”，“７”は外部制御部８の選定に用いられる。
【００２０】
【表１】
0004346786.tif 000002
【００２１】
最終ユーザにおける通常動作では、電源投入後一定時間、例えば、６秒間を経過すると光素子回路７０の動作が停止（ステップ▲６▼）して、ＩＤ−ＲＯＭに設定されているフラグを読み出し、対応するコントロールポート（ＳＷ）をオンにする（ステップ▲７▼）。例えば、ＩＤ−ＲＯＭ１０内の設定された外部接続インタフェース切替えフラグがシリアルデータオープンコレクタ入出力のフラグ“１”の場合、受信機が呼出し信号を受信すると、まず、ＩＤ−ＲＯＭ１０からフラグ“１”を読み出してオープンコレクタ入出力コントロールポート（１）を“ＯＮ”にし、切替え用のアナログＳＷ（１）を導通させ（この時他のコントロールポートは“ＯＦＦ”になり、他のアナログＳＷは非導通となる）、シリアルデータＯＵＴから出力される受信メッセージを処理したシリアルデータがオープンコレクタ入出力回路７１を介して外部接続端子部１２に出力される（ステップ▲８▼）。
【００２２】
図３は信号入出力部７の入出力回路がオープンコレクタ入出力回路（７１）の１つの場合の回路図である。
他のフラグが設定されているときも同様に、選択されたコントロールポート以外は“ＯＦＦ”として、設定されたインタフェースの入出力回路を介して制御データが出力される。
【００２３】
次に、外部制御部８について説明する。図１における外部制御部８は、日本電機工業会規格のＪＥＭ１４２７に準拠したＨＡ端子用のＩＦＵ（インタフェースユニット）８１と８ＣＨオープンコレクタ出力回路８２とからなっている。
図４はＨＡ端子制御のみの場合の回路例図である。信号入出力部７には入出力回路がなく光素子回路７９のみとなり、外部制御部８はフラグ６によってＨＡ端子制御のみが選択された場合であり、ＩＦＵ８１が外部接続端子部１２のＨＡ端子に接続されて外部機器のモニタ信号と制御信号のインタフェースとなる。ＨＡ端子制御のＩＦＵ８１は、フォトカプラ８４を介して外部機器の運転モニタ信号をモニターし、フォトカプラ８３を介して、外部機器の運転制御信号を出力する。
【００２４】
即ち、無線呼出受信機ユニットがＨＡ端子運転開始（“１”）に対応するメッセージを受信したときは、まずフォトカプラ８４を介して接続されている制御対象機器の運転状態をモニタし、状態が停止（“Ｌ”）ならば運転制御パルスを出力し、状態が運転（“Ｈ”）ならば運転制御パルスを出力しない。また、ＨＡ端子運転停止（“０”）に対応するメッセージを受信したときも同様に運転状態をモニタし、状態が運転（“Ｈ”）ならば運転制御パルスを出力し、状態が停止（“Ｌ”）ならば運転制御パルスを出力しない。
【００２５】
また、図示を省略したが、例えば、上記のＨＡ端子制御の代わりに、フラグ“７”が選択された場合は、トランジスタの８ＣＨオープンコレクタ出力回路８２を介して制御対象機器の制御を行うように接続され、８ＣＨの出力ポートは、それぞれ受信メッセージに対応した出力を行う。
例えば、８ビットの受信メッセージが“００００１１１１”のとき、外部制御出力ポート１〜４は“Ｌ”を出力し、出力ポート５〜８は“ハイインピーダンス”となる。また受信メッセージが“００００００００”のとき、出力ポート１〜８はすべて“Ｌ”を出力する。
このように受信メッセージにより、８ＣＨのポート出力制御ができる。
【００２６】
上記図３，図４の接続例は、信号入出力部７と外部制御部８のいずれか一方から１つのインタフェース回路を選択した例であるが、次の図５は、信号入出力部７と外部制御部８からそれぞれ１つの入出力回路を選択した接続例である。
【００２７】
さらに、図示しないが、データ処理／制御部６に、別に設けた３ビッのインタフェース選択ポートＤ１，Ｄ２，Ｄ３に抵抗を接続することで、ハード的にどのインタフェース回路を実装しているかをソフト認識させることができる。
例えば、フォトカプラ入出力インタフェース回路７３のみ実装した場合、３ビット入力インタフェース選択ポートの、Ｄ２に０Ωの抵抗を対ＧＮＤに接続する。各入力ポートはプルアップされているので、入力論理は、“０１１”となり、ソフトは、フォトカプラ入出力インタフェース回路７３を実装していることを認識でき、その動作を行うことができる。
なお、この３ビット入力インタフェース選択ポートを設ける場合は、表１におけるＩＤ−ＲＯＭ１０内の外部接続インタフェースフラグを“８”とし、フラグ“８”の時のみ有効とすればよい。
【００２８】
以上のように、本発明の無線呼出受信機ユニットのハード構成としては、信号入出力部７と外部制御部８の全てのインタフェース回路を実装して、必要に応じてソフト的に切替える構成と、１種類又は２種類の必要なインタフェース回路のみ実装して動作させる構成とがあり、そのいずれかまたは搭載するインタフェース回路の数を任意に選定することができる。
【００２９】
さらに、ＩＤ−ＲＯＭ１０内に、データ論理フラグを持ち（オープンコレクタ入出力コントロールポート及び、ＲＳ２３２Ｃ入出力コントロールポート選択時のみ有効）、シリアルデータ論理を正論理又は負論理のいずれかを選択することができる。
例えば、ＩＤ−ＲＯＭ１０内のデータ論理フラグが正論理の場合で、外部接続インタフェース切替えフラグが、シリアルデータオープンコレクタ出力のフラグ“１”が選択された場合に、本受信機が呼び出し信号を受信したとき、オープンコレクタ入出力コントロールポートを“ＯＮ”とし、正論理で受信メッセージをシリアルオープンコレクタ出力を行うことができる。
【００３０】
さらに、本発明による受信機ユニットは、ＩＤ−ＲＯＭ１０内の選択されたフラグの入出力インタフェース条件で、外部のパソコンまたは電気機器のマイコンなどからシリアルデータコマンドを入力することができ、設定したコマンドを、ＪＩＳ８コードで入力することにより、受信機の動作設定を制御することができる。
例えば、受信機の受信チャンネルを、１ＣＨから１０ＣＨに変更したい場合、パソコンまたは専用端末を外部接続端子部に接続し、受信周波数を変更するコマンド“ｃｈｗ１０”（ｃｈｗ→受信チャンネル書換えコマンド、１０→１０ｃｈ）をＪＩＳ８コードで入力すると、データ処理／制御部６の動作により受信周波数が１ＣＨから１０ＣＨに変更され、受信チャンネルが１０ＣＨに書き換えられる。
【００３１】
図６，図７は本発明の無線呼出受信機ユニットの外観図であり、図６は外部アンテナ専用機種の外観を示し、２１はプリント基板、２２は外部アンテナコネクタ、２３はシールドカバー、１２は外部接続端子である。
図７は内部アンテナ専用機種を示し、２１はプリント基板、２４はループアンテナ、２３はシールドカバー、１２は外部接続端子である。
それぞれシールドカバー２３内に無線回路，信号処理回路などが収容されている。
【００３２】
【発明の効果】
以上詳細に説明したように、本発明によれば、公衆無線呼出システム又は構内ページングシステムに本発明の無線呼出受信機ユニットを使用し、外部機器へのデータ出力及び外部機器制御を、必要最小限のハード構成でコストダウンを実現することができ、外部機器との接続条件（インタフェース）も、ＩＤ−ＲＯＭに対するフラグの設定で各種のインタフェース条件の入出力回路の中から選択することが可能なので、複数種類のインタフェース条件の外部機器との接続が可能になり、経済性，汎用性の高い無線呼出受信機ユニットを提供することができる。また、本発明を実施することにより、無線呼出システムの設備を有効に活用することができる。
【図面の簡単な説明】
【図１】本発明の実施例を示すブロック図である。
【図２】本発明の初期設定と通常動作のフローチャートである。
【図３】本発明の信号入出力部の１つの入出力回路の接続例図である。
【図４】本発明の外部制御部の１つのインタフェース回路の接続例図である。
【図５】本発明の信号入出力部の１つの入出力回路とＨＡ端子の接続例図である。
【図６】本発明の外部アンテナ専用機種の外観図である。
【図７】本発明の内部アンテナ専用機種の外観図である。
【符号の説明】
１  アンテナ
２  高周波受信部
３  局部発振部
４  復調部
５  デコード部
６  データ処理／制御部
７  信号入出力部
８  外部制御部
９  メモリ
１０  ＩＤ−ＲＯＭ
１１  ＬＥＤ部
１２  外部接続端子部
１３  電源部
２１  プリント基板
２２  外部アンテナコネクタ
２３  シールドカバー
２４  ループアンテナ
７０  光素子回路
７１〜７ｎ  入出力回路
８１  ＩＦＵ
８２  ８ＣＨオープンコレクタ出力回路
８３，８４  フォトカプラ
【図１】
0004346786.tif 000003
【図２】
0004346786.tif 000004
【図３】
0004346786.tif 000005
【図４】
0004346786.tif 000006
【図５】
0004346786.tif 000007
【図６】
0004346786.tif 000008
【図７】
0004346786.tif 000009